(57)【要約】【課題】手浴や足浴等の部分浴の実施に際して、術者や被術者の負担を軽減することのできる、新規な構造の部分浴用の容器を提供する。【解決手段】部分浴用容器１０が、内部に水や湯を収容可能な容器本体１２と、容器本体１２内に術者の手３８を挿入するための術者用挿入口１８と、術者用挿入口１８とは独立して設けられ、容器本体１２内に被術者の四肢の何れか３６を挿入するための被術者用挿入口２２と、を備えている。【選択図】図３
2020130633.tif 000002
【特許請求の範囲】
【請求項１】
内部に水や湯を収容可能な容器本体と、
前記容器本体内に術者の手を挿入するための術者用挿入口と、
前記術者用挿入口とは独立して設けられ、前記容器本体内に被術者の四肢の何れかを挿入するための被術者用挿入口と、を備えている部分浴用容器。
【請求項２】
有底筒状とされた前記容器本体において上側の開口部により前記術者用挿入口が構成されており、前記容器本体の周壁において前記被術者用挿入口が側方に開口して設けられている請求項１に記載の部分浴用容器。
【請求項３】
前記術者用挿入口及び前記被術者用挿入口が、前記容器本体の下端よりも上方に設けられている請求項１又は２に記載の部分浴用容器。
【請求項４】
前記被術者用挿入口に挿入される被術者の四肢の下方に該四肢を支持する支持台をさらに備えている請求項３に記載の部分浴用容器。
【請求項５】
前記容器本体の下方部分には、他の部分よりも高剛性の補強部が設けられている請求項１〜４の何れか１項に記載の部分浴用容器。
【請求項６】
前記容器本体が可撓性を有する袋状のシート材を用いて形成されており、前記袋状の前記容器本体の開口部により前記術者用挿入口が構成され、前記袋状の前記容器本体の底部が前記容器本体の内方に挿し入れられた状態で、二重とされた両側部が相互に接合されることにより前記補強部が構成されており、前記容器本体の側面に設けられた開口穴を用いて前記被術者用挿入口が構成されている請求項５に記載の部分浴用容器。
【請求項７】
前記被術者用挿入口の開口周縁部には、前記容器本体の外方に突出する外方筒部が設けられている請求項１〜６の何れか１項に記載の部分浴用容器。
【請求項８】
前記外方筒部には、前記容器本体に収容された水や湯の漏出しを防止する止水手段が設けられている請求項７に記載の部分浴用容器。
【請求項９】
前記止水手段が、前記外方筒部における前記容器本体とは反対側の端部に設けられている請求項８に記載の部分浴用容器。
【請求項１０】
前記被術者用挿入口の開口が、前記被術者の前記四肢の何れかの挿通を許容しつつ前記被術者用挿入口からの水漏れを防ぐ防水手段により覆われている請求項１〜６の何れか１項に記載の部分浴用容器。
【請求項１１】
前記被術者用挿入口の開口がスリット状に形成されている請求項１〜６の何れか１項に記載の部分浴用容器。
【請求項１２】
前記容器本体が可撓性を有する軟質材により形成されている請求項１〜１１の何れか１項に記載の部分浴用容器。
【請求項１３】
前記容器本体より硬質のフレームを備えており、該フレーム内に該容器本体が収容可能とされている請求項１２に記載の部分浴用容器。
【請求項１４】
前記容器本体には、収容された水や湯を排出するドレイン口が設けられている請求項１〜１３の何れか１項に記載の部分浴用容器。
【請求項１５】
前記容器本体から排出された水や湯を収容する排液バッグを備えている請求項１〜１４の何れか１項に記載の部分浴用容器。
【請求項１６】
前記容器本体に注入される水や湯が予め収容された注入バッグを備えている請求項１〜１５の何れか１項に記載の部分浴用容器。
【発明の詳細な説明】
【技術分野】
【０００１】
本発明は、手浴や足浴等の部分浴に用いられる容器に関するものである。
【背景技術】
【０００２】
従来から、看護や介護の現場では、例えば寝たきりの患者や身体に障害があり自力で入浴やシャワーを浴びることができない患者に対して、タオル等で体を拭く等して皮膚の汚れを落とすこと（清拭）が行われている。
【０００３】
特に、手足の先端（例えば、手首や足首から先）は汚れが蓄積し易く、細菌やウイルスが増殖して病気の温床となるおそれがある。さらに、蓄積した汚れから悪臭が発生する場合もある。それゆえ、このような問題を解消するために、手足の先端を清拭だけでは不十分な場合もあることから、手や足を水や湯を用いて洗浄する手浴や足浴が行われる。このような手浴や足浴が行われることで、患者の手足の清潔が保持されるだけでなく、例えば手足を温めることによる血行促進効果やリラックス効果も得られる。これにより、身体面のみならず、精神面においても安らぎを得ることができ、患者の睡眠促進や疼痛緩和といった付随的な効果も得ることができる。
【０００４】
そして、このような手浴に用いられる容器としては、例えば特開２００９−１８３４３８号公報（特許文献１）や実用新案登録第３０９９４８１号公報（特許文献２）等に記載の手浴ベースンや介護用手洗い桶が提案されている。これらの手浴ベースンや介護用手洗い桶では、手浴対象者（被術者）の手と看護者又は介護者（術者）の手が、容器内部の浴槽空間に対して、上方から挿入されるようになっている。さらに、特開２０１０−１７２６８０号公報（特許文献３）には、柔軟な素材で形成され変形自在な水受け袋を用いたベッド用手足専用洗い袋が提案されている。被術者の手と術者の手が挿入される水受け袋の上方開口部には、挿入された被術者の手の周囲に上方開口部の一部を固定させる面ファスナーやクリップが設けられている。
【先行技術文献】
【特許文献】
【０００５】
【特許文献１】特開２００９−１８３４３８号公報
【特許文献２】実用新案登録第３０９９４８１号公報
【特許文献３】特開２０１０−１７２６８０号公報
【発明の概要】
【発明が解決しようとする課題】
【０００６】
ところが、本発明者らが検討したところ、特許文献１〜３の従来構造の容器は、新規な課題を有していることが分かった。即ち、これらの容器では、被術者の手と術者の手が何れも上方の挿入口から挿入されることから、それらの手の挿入方向が同一で、且つ限定されていた。それ故、使用態様が限定的であり、起き上がることが困難であったり、拘縮により四肢を動かすことが困難である等の被術者においては、使用自体が難しい場合があった。更に、共通の挿入口に対して術者の手と被術者の手が挿入されることから、術者の十分な作業スペースが確保できず、施術に支障をきたし、術者の作業性の悪化を招くおそれもあった。
【０００７】
具体的には、特許文献１に記載の手浴ベースンは、側臥位の姿勢でしか用いることができず、術者が被術者を側臥位の姿勢まで起こすか、被術者が自力で側臥位の姿勢まで起き上がる必要があり、術者と被術者の双方の負担が大きかった。特許文献２に記載の介護用手洗い桶でも容器の上端に手を載置する必要があり、被術者によっては負担が大きい場合があった。特許文献３に記載のベッド用手足専用洗い袋では、変形自在な水受け袋を用いていることから、使用時の術者の姿勢の負担を低減することはできるものの、上方開口部から水が溢れないように、水受け袋の上方開口部の一部を挿入された被術者の手の周囲に巻きつけて固定させる必要がある。その結果、上方開口部が絞られて、上方開口部における術者作業スペースが削減される。さらに、上方開口部が被術者の手に固定されることで、下方や側方に向かって変形されることから、術者は常に上方開口部からの水漏れの心配をしながら施術を行う必要がある。それゆえ、術者の作業性が著しく低下し、術者の過大な負担を招いていた。
【０００８】
本発明は、本発明者らの上記の知見を背景になされたものであり、その解決課題は、手浴や足浴等の部分浴の実施に際して、術者や被術者の負担を軽減することのできる、新規な構造の部分浴用の容器を提供することにある。
【課題を解決するための手段】
【０００９】
以下、本発明を把握するための好ましい態様について記載するが、以下に記載の各態様は、例示的に記載したものであって、適宜に互いに組み合わせて採用され得るだけでなく、各態様に記載の複数の構成要素についても、可能な限り独立して認識及び採用することができ、適宜に別の態様に記載の何れかの構成要素と組み合わせて採用することもできる。それによって、本発明では、以下に記載の態様に限定されることなく、種々の別態様が実現され得る。
【００１０】
第１の態様は、内部に水や湯を収容可能な容器本体と、前記容器本体内に術者の手を挿入するための術者用挿入口と、前記術者用挿入口とは独立して設けられ、前記容器本体内に被術者の四肢の何れかを挿入するための被術者用挿入口と、を備えている部分浴用容器である。
【００１１】
本態様に従う構造とされた部分浴用容器によれば、被術者用挿入口や術者用挿入口の形状や個数、開口方向等を各別に設定することができて、設計自由度が向上される。それ故、これら被術者用挿入口や術者用挿入口を使用態様等に合わせて形成することができて、被術者や術者の負担の軽減が図られ得る。
【００１２】
また、術者用挿入口と被術者用挿入口とがそれぞれ独立して設けられていることから、従来構造に比して、術者の作業スペースを安定して確保することができる。その結果、術者と被術者の不必要な干渉等を回避することができ、両者への作業中のストレス低減を図ることができる。加えて、術者用挿入口と被術者用挿入口とが別々に設けられることにより、術者用挿入口が被術者の手足により変形されて水漏れが発生するおそれもない。それゆえ、術者の作業性を有利に向上させることができる。
【００１３】
第２の態様は、前記第１の態様に係る部分浴用容器において、有底筒状とされた前記容器本体において上側の開口部により前記術者用挿入口が構成されており、前記容器本体の周壁において前記被術者用挿入口が側方に開口して設けられているものである。
【００１４】
本態様に従う構造とされた部分浴用容器によれば、容器本体の上方に開口する開口部よりも下方に位置して、容器本体の周壁において側方に開口する被術者用挿入口が設けられている。それ故、例えば被術者が寝たきりの患者の場合や身体の移動が不自由とされる患者の場合でも、仰臥位の姿勢のまま手足を容器本体内に挿入することができる。加えて、術者用挿入口は上方に向かって開口し、開口部を被術者に遮られることがない。その結果、被術者の手足を術者が上方から洗浄することができ、手浴や足浴を、被術者と術者の楽な姿勢で行うことができる。
【００１５】
第３の態様は、前記第１又は第２の態様に係る部分浴用容器において、前記術者用挿入口及び前記被術者用挿入口が、前記容器本体の下端よりも上方に設けられているものである。
【００１６】
本態様に従う構造とされた部分浴用容器によれば、容器本体の底部分に水や湯を溜めることができて、この水や湯を利用して被術者の手足の洗浄等を行うことができる。
【００１７】
第４の態様は、前記第３の態様に係る部分浴用容器において、前記被術者用挿入口に挿入される被術者の四肢の下方に該四肢を支持する支持台をさらに備えているものである。
【００１８】
本態様に従う構造とされた部分浴用容器によれば、被術者用挿入口に挿入された被術者の手足が支持台により支持されることで、被術者の手足の重みにより容器本体が潰れることが防止され得る。
【００１９】
第５の態様は、前記第１〜第４の何れかの態様に係る部分浴用容器において、前記容器本体の下方部分には、他の部分よりも高剛性の補強部が設けられているものである。
【００２０】
本態様に従う構造とされた部分浴用容器によれば、容器本体に水や湯を収容した状態でもベッド上などに安定して載置することができる。また、収容された水や湯の重みにより容器本体が変形することが防止されて、容器本体から水や湯が漏れ出すことが防止され得る。
【００２１】
第６の態様は、前記第５の態様に係る部分浴用容器において、前記容器本体が可撓性を有する袋状のシート材を用いて形成されており、前記袋状の前記容器本体の開口部により前記術者用挿入口が構成され、前記袋状の前記容器本体の底部が前記容器本体の内方に挿し入れられた状態で、二重とされた両側部が相互に接合されることにより前記補強部が構成されており、前記容器本体の側面に設けられた開口穴を用いて前記被術者用挿入口が構成されているものである。
【００２２】
本態様に従う構造とされた部分浴用容器によれば、一般に普及するビニール袋等を利用して安価且つ簡便に部分浴用容器を提供することができる。また、衛生面を考慮して使い捨ての部分浴用容器として用いることができる。なお、可撓性を有する袋状のシート材を用いて形成された容器本体における、二重とされた両側部の接合方法としては、公知の任意の方法が採用され得る。例えば、溶着や接着等が有利に採用され得る。
【００２３】
第７の態様は、前記第１〜第６の何れかの態様に係る部分浴用容器において、前記被術者用挿入口の開口周縁部には、前記容器本体の外方に突出する外方筒部が設けられているものである。
【００２４】
本態様に従う構造とされた部分浴用容器によれば、容器本体における外部への開口部を外方筒部の分だけ容器本体から外方に離隔して設けることができることから、容器本体に収容された水や湯の漏出しを少なく抑えることもできる。
【００２５】
第８の態様は、前記第７の態様に係る部分浴用容器において、前記外方筒部には、前記容器本体に収容された水や湯の漏出しを防止する止水手段が設けられているものである。
【００２６】
本態様に従う構造とされた部分浴用容器によれば、外方筒部を通じての水や湯の漏出しが防止され得る。
【００２７】
第９の態様は、前記第８の態様に係る部分浴用容器において、前記止水手段が、前記外方筒部における前記容器本体とは反対側の端部に設けられているものである。
【００２８】
本態様に従う構造とされた部分浴用容器によれば、例えば止水手段により外方筒部が縮径変形させられる場合でも、当該変形が容器本体まで及ぼされることが防止されて、容器本体の変形に伴う水や湯の漏出しが防止され得る。
【００２９】
第１０の態様は、前記第１〜第６の何れかの態様に係る部分浴用容器において、前記被術者用挿入口の開口が、前記被術者の前記四肢の何れかの挿通を許容しつつ前記被術者用挿入口からの水漏れを防ぐ防水手段によって覆われているものである。
【００３０】
本態様に従う構造とされた部分浴用容器によれば、被術者用挿入口に設けられた防水手段により、被術者の手または足の挿通を許容しつつ被術者用挿入口からの水漏れを防ぐことができる。しかも、防水手段は被術者用挿入口に設ければよいことから、部分浴用容器の大型化を防止しつつ被術者用挿入口からの水漏れのリスクを低減できる。
【００３１】
第１１の態様は、前記第１〜第６の何れかの態様に係る部分浴用容器において、前記被術者用挿入口がスリット状に形成されているものである。
【００３２】
本態様に従う構造とされた部分浴用容器によれば、被術者用挿入口がスリット状に形成されていることから、被術者用挿入口からの水漏れのリスクを低減できる。しかも、容器本体にスリットを設けるだけで被術者用挿入口を形成できることから、部品点数やコストの低減を図ることができる。
【００３３】
第１２の態様は、前記第１〜第１１の何れかの態様に係る部分浴用容器において、前記容器本体が可撓性を有する軟質材により形成されているものである。
【００３４】
本態様に従う構造とされた部分浴用容器によれば、例えば拘縮が進行した患者等、手が伸ばせない被術者の場合には、容器を、例えば被術者の胸の上などの身体上に載置することも可能となる。これにより、手浴や足浴を被術者の楽な姿勢で行うことができて、被術者及び術者の負担が軽減され得る。また、例えば非使用時には、容器を折り畳んで保管することも可能となり、保管スペースの削減も図られ得る。
【００３５】
第１３の態様は、前記第１２の態様に係る部分浴用容器において、前記容器本体より硬質のフレームを備えており、該フレーム内に該容器本体が収容可能とされているものである。
【００３６】
本態様に従う構造とされた部分浴用容器によれば、例えば足浴の場合等、多量の水や湯が必要とされる場合でも、比較的硬質のフレームにより容器本体の変形が抑制されることから、容器の変形に伴う水や湯の漏出しが防止され得る。
【００３７】
第１４の態様は、前記第１〜第１３の何れかの態様に係る部分浴用容器において、前記容器本体には、収容された水や湯を排出するドレイン口が設けられているものである。
【００３８】
本態様に従う構造とされた部分浴用容器によれば、ドレイン口を通じて、手浴や足浴に利用した水や湯を排出することができる。
【００３９】
第１５の態様は、前記第１〜第１４の何れかの態様に係る部分浴用容器において、前記容器本体から排出された水や湯を収容する排液バッグを備えているものである。
【００４０】
本態様に従う構造とされた部分浴用容器によれば、手浴や足浴に利用した水や湯を排液バッグに収容することができて、容器本体からの水や湯の漏出しが防止され得る。
【００４１】
第１６の態様は、前記第１〜第１５の何れかの態様に係る部分浴用容器において、前記容器本体に注入される水や湯が予め収容された注入バッグを備えているものである。
【００４２】
本態様に従う構造とされた部分浴用容器によれば、例えば手浴や足浴に用いられる水や湯が容器本体の近場にない場合でも、注入バッグに予め収容された水や湯を利用することで手浴や足浴を速やかに行うことができる。
【発明の効果】
【００４３】
本発明に従う構造とされた部分浴用容器によれば、手浴や足浴等の部分浴を実施するに際して、被術者や術者の負担が軽減され得る。
【図面の簡単な説明】
【００４４】
【図１】本発明の第１の実施形態としての部分浴用容器を示す斜視図。
【図２】部分浴用容器における補強部の具体的な一例を説明するための説明図であって、部分浴用容器を示す正面図。
【図３】図１に示された部分浴用容器を利用して手浴を行う状態を説明するための説明図。
【図４】本発明の第２の実施形態としての部分浴用容器を示す斜視図。
【図５】本発明の第３の実施形態としての部分浴用容器を示す斜視図。
【図６】本発明の第４の実施形態としての部分浴用容器を示す斜視図。
【図７】本発明の第５の実施形態としての部分浴用容器を示す斜視図。
【図８】本発明の第６の実施形態としての部分浴用容器を示す斜視図。
【図９】本発明の第７の実施形態としての部分浴用容器を示す斜視図。
【図１０】本発明の第８の実施形態としての部分浴用容器を示す斜視図。
【図１１】本発明の第９の実施形態としての部分浴用容器を示す斜視図。
【図１２】本発明の第１０の実施形態としての部分浴用容器を示す斜視図。
【図１３】本発明の第１１の実施形態としての部分浴用容器を示す斜視図。
【図１４】本発明の第１２の実施形態としての部分浴用容器を示す斜視図。
【図１５】本発明の第１３の実施形態としての部分浴用容器を示す斜視図。
【図１６】本発明の部分浴用容器の被術者用挿入口の変形例を示す斜視図。
【図１７】本発明の部分浴用容器の被術者用挿入口の別の変形例を示す斜視図。
【図１８】本発明の部分浴用容器の被術者用挿入口のさらに別の変形例を示す斜視図。
【発明を実施するための形態】
【００４５】
以下、本発明を更に具体的に明らかにするために、本発明の実施形態について、図面を参照しつつ、詳細に説明する。
【００４６】
先ず、図１には、本発明の第１の実施形態としての部分浴用容器１０が示されている。この部分浴用容器１０は、例えば臥床したままの患者や、拘縮や麻痺等によって自力で手足の清潔保持ができない患者等の被術者の手足（四肢）を洗浄等する際に用いられる、手浴や足浴用の容器である。なお、以下の説明において、上下方向とは、鉛直方向となる図１中の上下方向をいう。また、水平方向とは、鉛直方向に対して直交する方向となる、例えば図１中の左右方向をいう。
【００４７】
より詳細には、部分浴用容器１０は、四肢の洗浄等に用いられる水や湯を収容する容器本体１２を備えている。この容器本体１２は、有底筒状又は袋状とされている。容器本体１２は、筒状の周壁１４と、当該周壁１４の下側開口部を閉塞する底壁１６とを備えている。これにより、容器本体１２は、上側開口部１８を有している。上側開口部１８を通じて、容器本体１２の内部空間２０が外部空間に連通されている。本実施形態では、上側開口部１８の内径寸法が、術者の両手が差し入れられ得る大きさとされている。特に、被術者の四肢の洗浄等の作業が余裕をもって行い得る大きさであることが好ましい。
【００４８】
容器本体１２は、図１中では円筒形状で示されているが、例えば多角筒形状であってもよい。尤も、容器本体１２が可撓性を有する材質で形成されることにより、容器本体１２は、平面視で特定の形状を有さない、不定形とされてもよい。容器本体１２は、有底筒状又は袋状に成形されることで形成されてもよいし、複数枚のシート状の部材の両側縁部や下端縁部を溶着等の手段により固着することで形成されてもよい。
【００４９】
容器本体１２の材質は防水性を備えていれば何等限定されるものではないが、例えば可撓性を有する軟質材により形成され得る。具体的には、ポリプロピレン（二軸延伸ポリプロピレン（ＯＰＰ）、無延伸ポリプロピレン（ＣＰＰ）、インフレーションポリプロピレン（ＩＰＰ））やポリエチレン（低密度ポリエチレン（ＬＤＰＥ）、高密度ポリエチレン（ＨＤＰＥ））等の合成樹脂や、防水処理を施した紙や布（織布、不織布）、皮革、ゴム等が好適に採用され得る。要求される強度や防水性、溶着や接着等の固着性能に応じて、上記の材質のうちの複数が適宜に積層される等して組み合わされて採用されてもよい。尤も、容器本体１２は硬質であってもよく、例えば硬質の合成樹脂によって形成されてもよい。容器本体１２を透明な材質で形成することにより、側方から被術者の手や足を視認しつつ洗浄することも可能とされる。
【００５０】
周壁１４には、側方（水平方向）で貫通する開口穴としての貫通孔２２が形成されている。本実施形態では、周壁１４の上下方向中間部分に円形の貫通孔２２が形成されている。即ち、貫通孔２２が、上側開口部１８とは独立して設けられている。
【００５１】
容器本体１２における下方部分には、容器本体１２における他の部分よりも剛性が大きくされた補強部２４が設けられている。本実施形態では、補強部２４が、貫通孔２２よりも下方に設けられている。補強部２４において剛性を大きくする手段は限定されるものではない。例えば、別部材を周壁１４の下方部分や底壁１６に固着したり、周壁１４の下方部分や底壁１６を剛性の大きい材質で形成したり、周壁１４の下方部分や底壁１６における肉厚寸法を大きくすること等で、補強部２４が構成され得る。
【００５２】
例えば、図２に示されるように、ビニール製の可撓性を有する袋状のシート材を用いることで容器本体１２を有利に形成できる。この場合、袋状の容器本体１２の開口部を上側開口部１８として利用する。袋状の容器本体１２の底部２５ａを容器本体１２の内方に挿し入れることにより二重に重ね合わされた領域２５ｂを形成する。領域２５ｂの両側部（図中、灰色の部分）を、溶着や接着等の任意の接合方法により相互に接合することで補強部２４を形成してもよい。また、容器本体１２の側面に設けられた開口穴（貫通孔２２）を用いて、後述の被術者用挿入口が構成され得る。
【００５３】
貫通孔２２の開口周縁部からは、水平方向外方（例えば、図１中の右方）に、筒状の外方筒部２６が突出している。本実施形態では、外方筒部２６が、水平方向にストレートに突出している。これにより、容器本体１２の内部空間２０が、外方筒部２６における容器本体１２と反対側の端部２８に設けられた外方開口部３０を通じて外部空間に連通されている。外方筒部２６は、容器本体１２と一体として形成されてもよいし、別体として形成されて、溶着等の手段により後固着されてもよい。外方筒部２６は、容器本体１２と同様の材質で形成され得るが、例えば容器本体１２とは剛性の異なる材質で形成されてもよい。
【００５４】
外方筒部２６には、止水手段が設けられている。本実施形態では、止水手段が、略一定の幅寸法及び長さ寸法を有する一対の帯状体３２，３２により構成されている。また、本実施形態では、帯状体３２が、外方筒部２６における容器本体１２と反対側の端部２８の外方開口部３０に設けられているが、例えば外方筒部２６の長さ方向中間部分に設けられてもよい。帯状体３２は、外方筒部２６と一体として形成されてもよいし、別体として形成されて後固着されてもよい。帯状体３２の材質は可撓性を有していれば何等限定されるものではないが、例えば容器本体１２や外方筒部２６と同様の材質が採用され得る。
【００５５】
止水手段は、本実施形態の如き帯状体３２に限定されるものではない。即ち、止水手段は、外方筒部２６と、当該外方筒部２６に挿入される被術者の腕部や脚部との隙間を減少し得るものであればよい。止水手段は、例えば帯状体３２よりも細い紐状体によって構成されてもよいし、一方の帯状体３２にバックルを設けて両帯状体３２，３２をベルト状に固定する構成としてもよい。或いは、止水手段は、外方筒部２６を狭窄した状態で保持するクリップや面ファスナー、ゴム等で構成されてもよい。止水手段は、外方筒部２６と一体として形成されてもよいし、別体とされてもよい。
【００５６】
上記の如き構造とされた部分浴用容器１０は、図３に示されるように、例えば臥床する被術者のベッド３４上に載置される。そして、外方筒部２６の外方開口部３０から洗浄される被術者の四肢の何れかである手や足（図３中では手３６）が挿入されて、被術者の手首や足首から先が、貫通孔２２を通じて容器本体１２の内部に位置するようにされる。即ち、本実施形態では、被術者のベッド３４の上面が、部分浴用容器１０の載置面とされる。また、貫通孔２２が、被術者の手や足等を容器本体１２の内部に挿入するための被術者用挿入口とされている。
【００５７】
更に、容器本体１２の上側開口部１８を通じて、術者の手３８が、容器本体１２の内部に差し入れられる。即ち、本実施形態では、上側開口部１８が、術者の手３８を容器本体１２の内部に挿入するための術者用挿入口とされている。
【００５８】
また、上側開口部１８を通じて、容器本体１２の内部空間２０に、水や湯４０が注入されて収容される。これにより、術者が、水や湯４０を利用して被術者の手３６を洗浄することが可能となる。なお、このような洗浄の際には、ガーゼ４２や液体石鹸、泡石鹸等を用いてもよい。
【００５９】
外方筒部２６の外方開口部３０では、一対の帯状体３２，３２が、外方筒部２６に挿入された被術者の前腕部（足浴の場合は脛部）に巻き付けられて結束される等して相互に固定される。これにより、外方筒部２６と、当該外方筒部２６に挿入された被術者の前腕部との隙間が小さくされている。なお、外方筒部２６は、被術者の腕において肘（足浴の場合は膝）よりも上方まで覆っていてもよい。その場合、帯状体３２は、被術者の前腕部に代えて、又は加えて、二の腕（足浴の場合は大腿部）に固定されてもよい。
【００６０】
本実施形態では、外方筒部２６を通じて貫通孔２２に差し入れられる被術者の手３６における前腕部の下方に支持台４４が設けられて、被術者の手３６が支持されている。支持台４４は、ある程度の剛性を有する部材により形成されていればよく、特に形状が限定されるものではない。支持台４４を設けることで、支持台４４上に載置された被術者の手３６を、外方筒部２６に対して略真っ直ぐ差し入れることができる。なお、支持台４４として、吸水性を有する部材を採用することで、四肢の洗浄後に四肢に付着した水分を拭き取ることも可能である。このような支持台４４は、例えば外方筒部２６や容器本体１２と一体的に又は別体として形成されてもよい。即ち、支持台４４を含んで部分浴用容器１０が構成されるようになっていてもよい。
【００６１】
以上の如き構造とされた本実施形態の部分浴用容器１０では、術者用挿入口である上側開口部１８と被術者用挿入口である貫通孔２２とが相互に独立して設けられている。それ故、それぞれの挿入口の位置（開口方向）や大きさ、形状等を各別に設計することができて、設計自由度の向上が図られる。
【００６２】
特に、本実施形態では、洗浄領域となる容器本体１２の内部空間２０に対して、術者が、上側開口部１８を通じて上方から手３８を差し入れることができる。それと共に、被術者が、上側開口部１８よりも下方に位置する貫通孔２２を通じて側方から手３６を差し入れることができる。これにより、手浴や足浴に際して、例えば寝たきりや身体に障害を有する被術者の身体の移動や姿勢の変更を伴うことがなく、被術者及び術者の負担の軽減が図られ得る。更に、術者用挿入口としての上側開口部１８へ被術者の手３６が差し入れられることがないことから、術者の作業スペースが有利に確保でき、作業効率の向上が図られ得る。
【００６３】
更に、貫通孔２２が容器本体１２の上下方向中間部分に設けられることで、容器本体１２における貫通孔２２よりも下方の部分に水や湯４０を溜めることが可能となる。この水や湯４０を利用して被術者の四肢の洗浄を行うことができる。更に、容器本体１２に収容された水や湯４０が貫通孔２２から漏れ出すことを有利に防止できる。
【００６４】
本実施形態では、外方筒部２６の外方開口部３０に止水手段（帯状体３２）が設けられていることから、貫通孔２２を通じて外方筒部２６に水や湯４０が入り込んだ場合でも、水や湯４０の漏出しが防止され得る。特に、このような止水手段（帯状体３２）が、外方筒部２６において容器本体１２から離隔した位置（本実施形態では容器本体１２と反対側の端部２８）に設けられている。これにより、止水手段により外方筒部２６を狭窄した場合でも、外方筒部２６の変形が容器本体１２まで及ぼされることがなく、容器本体１２からの水や湯４０の漏出しが効果的に防止され得る。
【００６５】
更にまた、容器本体１２の下方に他の部分よりも剛性が向上された補強部２４が設けられていることから、容器本体１２の下方部分の変形が抑制されて、部分浴用容器１０が載置面（本実施形態ではベッド３４上面）上に安定して載置され得る。本実施形態では、被術者の手３６を支持する支持台４４が採用されており、被術者の手３６の重みにより容器本体１２における貫通孔２２よりも下方の部分が変形することが防止されている。これら補強部２４と支持台４４とを併せて採用することで、容器本体１２の下方部分が潰れるように変形することがより確実に防止されて、上方や外方への開口部１８，３０を通じて水や湯４０が漏れ出すことが一層効果的に防止され得る。
【００６６】
なお、容器本体１２が軟質の材質により形成されることで、例えば拘縮が進行する等して腕が伸ばせない被術者の場合には、胸の上など、被術者の身体の表面を載置面として部分浴用容器１０を載置することも可能となる。また、容器本体１２が軟質の材質により形成されることで、部分浴用容器１０の非使用時には、小さく折り畳んで保管することもできる。
【００６７】
本発明では、上述のように、術者用挿入口と被術者用挿入口とを相互に独立して設けることで、部分浴用容器の設計自由度の向上という効果が発揮され得る。即ち、被術者の症状等、使用態様に合わせていくつものバリエーションを製造することが可能となる。以下、本発明の別の実施形態について図面を示して説明するが、前記実施形態と実質的に同一の部材及び部位には、図中に、前記実施形態と同一の符号を付すことで詳細な説明を省略する。
【００６８】
図４には、本発明の第２の実施形態としての部分浴用容器５０が示されている。本実施形態では、容器本体１２に対して、複数（２つ）の外方筒部２６，２６が設けられている。特に、本実施形態では、これらの外方筒部２６，２６が、容器本体１２の径方向で相互に反対方向に突出している。尤も、外方筒部２６が２つ設けられる場合、これらの外方筒部２６，２６は、例えば容器本体１２の周方向で半周より短い離隔距離をもって形成されてもよい。
【００６９】
外方筒部２６を２つ設けることにより、容器本体１２の内部空間２０に対して、被術者の両方の手や足を同時に差し入れることができる。これにより、被術者の手や足を一方ずつ順次洗浄する場合に比べて、施術時間を短縮することもできて、被術者や術者の負担を軽減することもできる。
【００７０】
図５には、本発明の第３の実施形態としての部分浴用容器６０が示されている。本実施形態では、外方筒部２６が水平方向に対して傾斜して突出している。特に、本実施形態では、外方筒部２６が、容器本体１２から離隔するにつれて上方に傾斜している。
【００７１】
外方筒部２６を上方に傾斜するように設けることで、例えばリクライニングベッドに臥床する被術者が上半身だけ起こす場合や、被術者が座位の姿勢になった場合等において、容器本体１２の内部空間２０に対して手や足を斜め上方から差し入れることができる。これにより、被術者や術者が、より楽な姿勢で手浴や足浴を行うことができる。また、外方筒部２６を上方に傾斜して設けることで、外方筒部２６を通じての水や湯の漏出しが効果的に防止され得る。
【００７２】
被術者の手や足を斜め上方から差し入れる場合には、例えば、図６に示される、本発明の第４の実施形態としての部分浴用容器７０も採用され得る。本実施形態の容器本体７２では、周壁１４の上側開口部が上底壁部７４により閉塞されている。この上底壁部７４には、術者用挿入口としての貫通孔７６と被術者用挿入口としての貫通孔７８が、それぞれ上下方向に貫通して形成されている。術者の手が挿入される貫通孔７６は１つ又は２つ設けられ得る。本実施形態では、上底壁部７４に２つの貫通孔７６，７６が形成されている。貫通孔７８の開口周縁部からは、外方筒部８０が上方に突出している。本実施形態では、外方筒部８０が、上方になるにつれて水平方向外方へ傾斜している。
【００７３】
本実施形態の部分浴用容器７０においても、術者用挿入口としての貫通孔７６と被術者用挿入口としての貫通孔７８とが独立して形成されていることから、前記第３の実施形態と同様の効果が発揮され得る。特に、本実施形態のように、術者の手と被術者の手が容器本体７２の内部空間２０に対して同方向（上方）から差し入れられる場合であっても、術者が手を差し入れるスペースと被術者が手や足を差し入れるスペースが明確に区分けされて確保される。それ故、術者の手や被術者の手足が容器本体７２内で動き過ぎることがなく、術者による施術スペースが十分に確保され得る。尤も、被術者用挿入口としての貫通孔７８が上方に設けられる場合、術者用挿入口としての貫通孔７６は上方に設けられる必要はない。貫通孔７６は、例えば周壁１４において水平方向に貫通して形成されてもよい。
【００７４】
本実施形態では、周壁１４の上側開口部が上底壁部７４で閉塞されている。それ故、外方への開口部（貫通孔７６，７６及び外方開口部３０）の面積の合計が、前記実施形態における外方への開口部（上側開口部１８及び外方開口部３０）の面積の合計に比べて小さくされている。これにより、容器本体７２に収容される湯が冷めにくく、より長時間に亘って手浴や足浴を実施することも可能である。また、本実施形態では、外方筒部８０が上方に向かって突出していることから、止水手段を設けなくても、外方筒部８０を通じての水や湯の漏出しがより確実に防止され得る。
【００７５】
図７には、本発明の第５の実施形態としての部分浴用容器９０が示されている。本実施形態では、容器本体１２から水平方向外方に突出する外方筒部９２が、外径寸法の大きな部分と小さな部分とが外方筒部９２の長さ方向で交互に連続する蛇腹状部を備えている。特に、本実施形態では、外方筒部９２が、長さ方向の全長に亘って蛇腹状部とされている。尤も、蛇腹状部は外方筒部９２の長さ方向の全長に亘って設けられる必要はない。蛇腹状部は、外方筒部９２の長さ方向で部分的に設けられてもよい。
【００７６】
外方筒部９２に蛇腹状部を設けることで、外方筒部９２の伸縮が可能となり、腕の長い人や短い人、腕を伸ばせる人や伸ばせない人等、被術者に応じて外方筒部９２の長さ寸法を調節することができる。また、部分浴用容器９０の非使用時には、外方筒部９２を小さく折り畳んで保管することも可能となる。更に、蛇腹状部において外径寸法が小さくされた部分により止水手段を構成することも可能である。即ち、蛇腹状部を設けることで外方筒部９２を通じての水や湯の漏出しの防止にも寄与し得る。
【００７７】
なお、蛇腹状部は、外方筒部９２に代えて、又は加えて、容器本体１２に設けることも可能である。これにより、容器本体１２に収容される水や湯の量に応じて容器本体１２の上下方向寸法を調節することも可能である。また、非使用時には部分浴用容器９０をより小さく折り畳んで保管することもできる。
【００７８】
図８には、本発明の第６の実施形態としての部分浴用容器１００が示されている。本実施形態では、容器本体１０２における外方筒部２６よりも上方の部分において、周壁１４の内周面に、ファスナー１０４が設けられている。本実施形態のファスナー１０４は凸条１０６ａと凹溝１０６ｂとから構成されている。これら凸条１０６ａと凹溝１０６ｂとは、容器本体１０２の径方向で相互に対向して設けられている。凸条１０６ａと凹溝１０６ｂとが相互に噛合することで、ファスナー１０４が閉鎖されて、上側開口部１８を通じての外部への連通が遮断され得る。
【００７９】
ファスナー１０４を有する容器本体１０２は、例えば凸条１０６ａが内面側に固着された樹脂シートと凹溝１０６ｂが内面側に固着された樹脂シートを相互に重ね合わせて、これら２枚の樹脂シートの両側縁部及び下端縁部を固着することで形成され得る。なお、これら凸条１０６ａ及び凹溝１０６ｂは、樹脂シートに対してある程度の固着領域をもって固着されることが好適である。
【００８０】
本実施形態の部分浴用容器１００では、例えば容器本体１０２に被術者の手や足を挿入すると共に湯を注入して、その後ファスナー１０４を閉鎖することで、内部空間２０を略密閉状態とすることができる。これにより、容器本体１０２に注入した湯により被術者の手や足を温めることができる。なお、このように被術者の手や足を温める作業は、手や足の洗浄の前や後に行ってもよいし、洗浄の実施に拘らず行ってもよい。即ち、本発明に係る部分浴用容器は洗浄だけでなく、手や足を温める目的で用いられてもよい。
【００８１】
図９には、本発明の第７の実施形態としての部分浴用容器１１０が示されている。本実施形態の容器本体１１２は、径寸法が上下方向で異ならされている。特に、本実施形態では、容器本体１１２が、径寸法が上下方向の略全長に亘って術者用挿入口である上側開口部１８に向かって次第に大きくなるテーパ形状とされている。
【００８２】
容器本体１１２を上記の如き形状とすることで、上側開口部１８の径寸法を大きく確保することができる。それ故、術者が、上側開口部１８を通じて容器本体１１２の内部空間２０に手を差し入れ易くなっており、手浴や足浴を容易に行うことができる。なお、容器本体１１２の径寸法は、上方に向かって段階的（階段状）に大きくなっていてもよい。また、容器本体１１２には、上下方向全長でなく部分的にテーパ形状とされる部分が設けられてもよい。更に、容器本体１１２は、下方に向かって径寸法が大きくなるようにされてもよい。これにより、上側開口部１８の内径寸法を小さく抑えつつ、洗浄領域となる容器本体１１２の内部空間２０を大きく確保することもできる。
【００８３】
図１０には、本発明の第８の実施形態としての部分浴用容器１２０が示されている。本実施形態の容器本体１２２は、前記第４の実施形態と同様に周壁１４の上側開口部が上底壁部７４で閉塞されている。当該上底壁部７４には、術者用挿入口として２つの貫通孔７６，７６が形成されている。本実施形態では、これら２つの貫通孔７６，７６が、上底壁部７４の径方向で相互に対向して設けられている。
【００８４】
この貫通孔７６の開口周縁部には、上方に突出する上方筒部１２４が形成されている。これにより、容器本体１２２の内部空間２０が、上方筒部１２４の上端部に設けられた上側開口部１２６を通じて外部空間に連通されている。なお、本実施形態では、２つの上方筒部１２４，１２４の対向方向の略中央において、上方筒部１２４，１２４の対向方向と略直交する方向に外方筒部２６が突出している。そして、外方筒部２６を通じて被術者の手や足が差し入れられると共に、上方筒部１２４，１２４を通じて術者の手が差し入れられて、容器本体１２２の内部空間２０内で被術者の手や足が洗浄されるようになっている。
【００８５】
本実施形態の部分浴用容器１２０では、例えば前記第１の実施形態など１つの大きな上側開口部（１８）が設けられる場合に比べて、上側開口部１２６，１２６の面積の合計が小さくされることから、容器本体１２２に注入された湯を冷めにくくすることができる。また、被術者の手や足が差し入れられる外方筒部２６が上方筒部１２４，１２４の対向方向略中央に設けられていることから、被術者の手や足を、術者の手で、両側から挟み込むように洗浄することも容易に可能とされる。
【００８６】
図１１には、本発明の第９の実施形態としての部分浴用容器１３０が示されている。本実施形態では、容器本体１２の下端部分に、容器本体１２に収容されて手浴や足浴に供された水や湯を排出するドレイン口１３２が設けられている。当該ドレイン口１３２には、ホース１３４が固定的に設けられている。特に、本実施形態では、ドレイン口１３２が、容器本体１２の底壁１６に上下方向で貫通して設けられている。そして、底壁１６の下端面におけるドレイン口１３２の開口周縁部に、下方に突出するホース１３４が設けられている。なお、ホース１３４は、容器本体１２と一体的に形成されてもよいし、別体として形成されて後固着されてもよい。また、ドレイン口１３２は底壁１６に設けられる必要はなく、例えば周壁１４の下端部分において、水平方向で貫通して設けられてもよい。
【００８７】
更に、本実施形態では、ドレイン口１３２が、取っ手１３６を有する栓体１３８により閉塞可能とされている。即ち、手浴や足浴の実施時には、ドレイン口１３２を栓体１３８により閉塞することで容器本体１２に水や湯を溜めることが可能とされている。また、手浴や足浴の終了後には、取っ手１３６を引っ張り栓体１３８をドレイン口１３２から取り外すことで、ドレイン口１３２及びホース１３４を通じて手浴や足浴に供された水や湯が排出され得る。
【００８８】
上述のように、本実施形態の部分浴用容器１３０では、手浴や足浴の終了後に、手浴や足浴に供された水や湯を排出することが可能とされている。それ故、例えば手浴や足浴の終了後に水や湯を排出して、容器本体１２内で被術者の手や足に付着した水分を拭き取った後に、容器本体１２から被術者の手や足を引き抜くことで、水滴の飛散等も効果的に防止され得る。
【００８９】
尤も、ドレイン口１３２を閉塞する栓体１３８は必須なものではない。即ち、ドレイン口１３２は常時開口していてもよく、容器本体１２への水や湯の注入と同時にドレイン口１３２及びホース１３４を通じて水や湯が排出されるようになっていてもよい。従って、容器本体１２へ注入される水や湯は、容器本体１２内で一定時間に亘って収容される必要はなく、容器本体１２内で一時的に受ける態様であってもよい。
【００９０】
なお、ドレイン口１３２に取り付けられるホース１３４は、取外し可能とされてもよい。即ち、図１２には、本発明の第１０の実施形態としての部分浴用容器１４０が示されており、容器本体１２に対してホース１３４が取外し可能に取り付けられるようになっている。本実施形態では、ドレイン口１３２に対してスリット１４２を有する逆止弁１４４が取り付けられている。ホース１３４の未装着状態では、スリット１４２が閉鎖状態とされており、ドレイン口１３２が閉塞して、容器本体１２内に水や湯を貯留できるようになっている。なお、逆止弁１４４は、ゴム等の弾性体が好適に採用され得る。
【００９１】
この逆止弁１４４にホース１３４の先端を押し込んで接続することでスリット１４２が押し開かれて、ドレイン口１３２が開口状態とされる。これにより、ドレイン口１３２及びホース１３４を通じて容器本体１２内に収容された水や湯４０が排出可能とされることから、前記第９の実施形態と同様の効果が発揮され得る。なお、水や湯４０の排出後にホース１３４を逆止弁１４４から抜去することでスリット１４２が復元変形してドレイン口１３２が閉塞されるようになっている。
【００９２】
図１３には、本発明の第１１の実施形態としての部分浴用容器１５０が示されている。本実施形態の部分浴用容器１５０は、容器本体１２から排出された水や湯４０を収容する排液バッグ１５２を備えている。特に、本実施形態では、容器本体１２が、前記第１０の実施形態と同様に、ドレイン口１３２及び逆止弁１４４を備えており、排液バッグ１５２が容器本体１２に対して取付け及び取外し可能とされている。
【００９３】
排液バッグ１５２は、中空構造とされている。排液バッグ１５２の材質は何等限定されるものではないが、例えば容器本体１２と同様の材質により形成され得る。図中では、排液バッグ１５２が中空の円柱形状をもって示されているが、可撓性を有する材質により形成される場合、特定の形状を有さない不定形とされてもよい。
【００９４】
また、例えば排液バッグ１５２の上面からはホース１３４が延び出している。このホース１３４の先端を、前記第１０の実施形態と同様に、容器本体１２の下端に設けられた逆止弁１４４に押し込むことで、容器本体１２と排液バッグ１５２とがホース１３４を介して相互に連結されるようになっている。これにより、手浴や足浴に供された水や湯４０がドレイン口１３２及びホース１３４を通じて排出されて、排液バッグ１５２に収容される。
【００９５】
このように使用後の水や湯４０が排液バッグ１５２に収容されることで、使用後の水や湯４０の漏出しがより確実に防止され得る。特に、本実施形態では、逆止弁１４４からホース１３４を抜去することで容器本体１２から排液バッグ１５２が取り外されることから、排液バッグ１５２のみを持ち運んで水や湯４０を廃棄することができる。
【００９６】
なお、本実施形態では、容器本体１２に逆止弁１４４が設けられると共に排液バッグ１５２にホース１３４が設けられていたが、この態様に限定されるものではない。即ち、容器本体１２にホース１３４が設けられると共に排液バッグ１５２に貫通孔が設けられて、容器本体１２から延びるホース１３４の先端を貫通孔に差し込むことで容器本体１２と排液バッグ１５２とが連結されるようになっていてもよい。この場合、容器本体１２のドレイン口１３２に前述の栓体（１３８）を設けたり、ホース１３４をクランプ等で閉鎖したり、容器本体１２と排液バッグ１５２とを連結してから容器本体１２に水や湯４０を注入する等して、ドレイン口１３２及びホース１３４を通じて水や湯４０が漏れないようにすることが好適である。或いは、容器本体１２と排液バッグ１５２との両方に、両部材１２，１５２とは別体とされたホースを差し込んで接続してもよい。
【００９７】
尤も、排液バッグ１５２は、容器本体１２に対してホース１３４を介して取外し不能に取り付けられてもよい。その場合は、例えば手浴や足浴の実施時に、ドレイン口１３２を栓体（１３８）で閉鎖してもよいし、排液バッグ１５２と容器本体１２とを連結するホース１３４をクランプ等で閉鎖してもよい。そして、手浴や足浴の施術後に、栓体（１３８）を抜去したりクランプ等による閉鎖を解除することで、容器本体１２内の水や湯が排液バッグ１５２内に収容され得る。
【００９８】
図１４には、本発明の第１２の実施形態としての部分浴用容器１６０が示されている。本実施形態の部分浴用容器１６０は、容器本体１２に注入される水や湯４０が予め収容された注入バッグ１６２を備えている。特に、本実施形態では、容器本体１２の周壁１４に、当該周壁１４を貫通する注入用孔１６４が設けられていると共に、当該注入用孔１６４の開口周縁部から外方に突出するホース１３４が突出している。また、注入バッグ１６２には、前記第１０の実施形態における容器本体１２と同様のドレイン口１６６及び逆止弁１６８を備えており、注入バッグ１６２が容器本体１２に対して取付け及び取外し可能とされている。
【００９９】
注入バッグ１６２は、中空構造とされており、内部に水や湯４０が予め収容されている。注入バッグ１６２の材質は何等限定されるものではないが、例えば容器本体１２と同様の材質により形成され得る。なお、注入バッグ１６２に収容した水を電子レンジ等で加熱して湯として手浴や足浴に利用する場合等には、例えば耐熱性の材質が選択されることが好適である。図中では、注入バッグ１６２が中空の円柱形状をもって示されているが、可撓性を有する材質により形成される場合、特定の形状を有さない不定形とされてもよい。
【０１００】
そして、容器本体１２から延びるホース１３４の先端を、注入バッグ１６２に設けられた逆止弁１６８に押し込むことで、容器本体１２と注入バッグ１６２とがホース１３４を介して相互に連結されるようになっている。これにより、注入バッグ１６２内に予め収容された水や湯４０がドレイン口１６６、ホース１３４及び注入用孔１６４を通じて容器本体１２内に注入される。
【０１０１】
このように注入バッグ１６２に予め水や湯４０を収容しておくことで、例えば被術者のベッドまで水や湯を運ぶことが困難である場合にも、注入バッグ１６２として運ぶことが可能となる。また、予め注入バッグ１６２を被術者のベッドサイドに置いておくことで、速やかに手浴や足浴を行うことができる。特に、本実施形態では、逆止弁１６８からホース１３４を抜去することで容器本体１２から注入バッグ１６２が取り外されることから、注入バッグ１６２内の水や湯４０を使い終わった後は、新しい注入バッグ１６２に交換することができる。更に、例えば複数の注入バッグ１６２を被術者のベッドサイドに置いておくことで、新しい注入バッグ１６２を取りに戻る手間なども省かれ得る。特に、図１３に示すドレイン口１３２及び排液バッグ１５２と組み合わせて採用することにより、容器本体１２内の水や湯をベッド上で交換することが可能となり、更なる利便性の向上を図ることができる。
【０１０２】
なお、本実施形態では、容器本体１２にホース１３４が設けられると共に注入バッグ１６２に逆止弁１６８が設けられていたが、この態様に限定されるものではない。即ち、注入バッグ１６２にホース１３４が設けられてもよく、ホース１３４の先端を注入用孔１６４に差し込むことで容器本体１２と注入バッグ１６２が連結されるようになっていてもよい。この場合、ホース１３４の先端にキャップを設けて、ホース１３４の先端を注入用孔１６４に差し込んだ後にキャップを外したり、ホース１３４をクランプ等で閉鎖する等して、ドレイン口１６６及びホース１３４を通じて注入バッグ１６２内の水や湯４０が漏れないようにすることが好適である。或いは、容器本体１２と注入バッグ１６２との両方に、両部材１２，１６２とは別体とされたホースを差し込んで接続するようになっていてもよい。
【０１０３】
尤も、注入バッグ１６２は、容器本体１２に対してホース１３４を介して取外し不能に取り付けられてもよい。その場合は、例えば予め注入用孔１６４を栓体で閉鎖したり、注入バッグ１６２と容器本体１２とを連結するホース１３４をクランプ等で閉鎖しておいて、手浴や足浴の実施時に注入用孔１６４の栓体を抜去したりクランプ等による閉鎖を解除することで、注入バッグ１６２内の水や湯４０が容器本体１２内に注入され得る。
【０１０４】
図１５には、本発明の第１３の実施形態としての部分浴用容器１７０が示されている。本実施形態の部分浴用容器１７０は、容器本体１２が収容可能とされる本体収容空間１７２を有するフレーム１７４を備えている。本実施形態では、フレーム１７４が、全体として有底筒状とされており、略円筒状の周壁部１７６と、当該周壁部１７６の下側開口部を閉塞する底壁部１７８とを備えている。このフレーム１７４の内部空間が略円柱形の本体収容空間１７２とされており、当該本体収容空間１７２の底面（底壁部１７８の上面）１８０が、容器本体１２を載置する載置面とされている。
【０１０５】
フレーム１７４の周方向の一部には、上方に開口すると共にフレーム１７４を厚さ方向（径方向）で貫通する切欠き１８２が設けられている。これにより、フレーム１７４内部の本体収容空間１７２が、切欠き１８２を通じて外部空間に連通されている。この切欠き１８２は、フレーム１７４の上端から下端までは至らない上下方向寸法をもって形成されており、切欠き１８２の下端面１８４が水平方向に広がる水平面とされている。この切欠き１８２は、外方筒部２６が入り込む大きさで形成されている。本体収容空間１７２の底面１８０に容器本体１２を載置して容器本体１２を収容した状態では、切欠き１８２内に外方筒部２６が差し入れられて、外方筒部２６が切欠き１８２の下端面１８４に当接するか下端面１８４よりも上方に位置するようになっている。
【０１０６】
本実施形態では、フレーム１７４に容器本体１２を収容した状態において、容器本体１２の上端とフレーム１７４の上端が略等しい上下方向位置にあるが、例えば容器本体１２の上端がフレーム１７４の上端から突出していてもよい。また、フレーム１７４に容器本体１２を収容した状態において、外方筒部２６における容器本体１２と反対側の端部２８がフレーム１７４よりも水平方向外方まで突出しているが、突出していなくてもよい。
【０１０７】
このフレーム１７４の材質は容器本体１２よりも硬質であれば何等限定されるものではないが、例えば比較的高い剛性を有する硬質塩化ビニル（ＰＶＣ）やウレタン等が好適に採用され得る。
【０１０８】
このように容器本体１２を収容するフレーム１７４が設けられることで、例えば足浴のように比較的多量の水や湯を用いる場合でも容器本体１２の変形が抑制されて、容器本体１２の変形に伴う水や湯の漏出しが効果的に防止され得る。
【０１０９】
以上、本発明の実施形態について説明してきたが、これらの何れの実施形態においても、手浴や足浴等の部分浴を実施するに際して、被術者や術者の負担が軽減され得る。また、例示の実施形態の部分浴用容器を用いることで、被術者に対する手浴や足浴を作業性よく行うことができ、その結果、被術者の四肢を清潔に保つことができ、四肢における細菌やウイルスの増殖を防止して病気感染や悪臭の発生等を未然に防止することができる。例示の実施形態の部分浴用容器により、被術者の手浴や足浴を充分に行うことができることから、手浴や足浴による血行促進効果を有利に得ることができる。それゆえ、例示の実施形態の部分浴用容器を用いて手浴や足浴の施術を受けた被術者は、優れたリラックス効果を享受でき、これにより、睡眠が促進されたり疼痛が緩和されたりといった付随的な効果もより有利に得ることができる。また、本発明は上述の実施形態や解決手段の欄における具体的乃至は限定的な記載によって制限的に解釈されるものでなく、当業者の知識に基づいて種々なる変更、修正、改良などを加えた態様で実施可能である。
【０１１０】
例えば、術者用挿入口や被術者用挿入口の開口方向や上下方向位置等は何等限定されるものではない。術者用挿入口と被術者用挿入口をそれぞれ複数設けることも可能であり、術者の手と被術者の手が挿入される挿入口を使用態様に合わせて適宜選択するようにしてもよい。尤も、容器本体の形状も限定されるものではなく、例えば方向性を有さない球体の如き形状であってもよい。
【０１１１】
また、容器本体から外方に突出する外方筒部は必須なものではない。外方筒部が設けられない場合、例えば、被術者用挿入口の開口を、被術者の手や足の挿通を許容しつつ被術者用挿入口からの水漏れを防ぐ防水手段で覆うようにしてもよい。具体的には、図１６に示すとおり、被術者用挿入口である貫通孔２２の開口を、防水手段であるスリット１８６を有する弾性膜１８８で覆って塞いでもよい。これにより、スリット１８６を通じて被術者の手や足を貫通孔２２から容器本体１２の内部に挿入することができる。また、施術中は、弾性膜１８８が弾性により被術者の手や足に密着することから、被術者用挿入口からの水漏れを防ぐことができる。また、被術者の手や足をスリット１８６から抜去することでスリット１８６が閉鎖され、貫通孔２２からの水漏れが防止される。なお、弾性膜１８８の材料としては、ゴムやエラストマー等の公知の任意の材料が採用され得る。
【０１１２】
さらに、被術者用挿入口である貫通孔２２の開口を覆う防水手段を、図１７に示すような貫通孔２２の開口周縁部から径方向内方に広がり径方向に拡縮自在な内周縁部１９０を有する止水膜１９２で構成してもよい。これにより、止水膜１９２の内周縁部１９０を拡径することで術者の手や足を貫通孔２２から容器本体１２の内部に挿入することができる。また、挿入後は、止水膜１９２の内周縁部１９０を縮径することで内周縁部１９０を被術者の手や足に密着することから、被術者用挿入口からの水漏れを防ぐことができる。なお、内周縁部１９０の径の拡縮は、内周縁部１９０にゴムリングを内在させてゴムリングの弾性を利用して拡縮自在としたり、内周縁部１９０に周方向に延びる紐を内在させ、紐を緩めたり絞ったりすることで拡縮自在としてもよい。止水膜１９２は、可撓性を有する軟質材により形成することができ、容器本体１２と同じ材質でもよいし、異なる材質でもよい。尤も、被術者用挿入口である貫通孔２２の開口を覆う防水手段は、必ずしも設ける必要はない。すなわち、図１８に示すとおり、被術者用挿入口１９４をスリット状とすることで、被術者の手や足の挿通を許容しつつ被術者用挿入口からの水漏れを防ぐことも可能である。さらに、図１に示す部分浴用容器１０から外方筒部２６を取り除き、被術者用挿入口である貫通孔２２を外部に露呈させたものであってもよい。
【０１１３】
更に、前記第４の実施形態では、容器本体７２の上底壁部７４が円形状を有しており、周壁１４の上側開口部を全体に亘って閉塞しているが、このような態様に限定されるものではない。即ち、上底壁部が周壁１４の上側開口部の半分を覆う半円形状とされて、当該上底壁部に術者用挿入口と被術者用挿入口の何れか一方が設けられてもよい。それと共に、上側開口部において上底壁部によって覆われない部分により術者用挿入口と被術者用挿入口の何れか他方が構成されるようになっていてもよい。
【０１１４】
更にまた、前記第６の実施形態では、ファスナー１０４が凸条１０６ａと凹溝１０６ｂとにより構成されているが、例えば面ファスナーであってもよい。尤も、上側開口部を封止する手段はファスナーに限定されるものではなく、上側開口部を封止状態に保持するクリップなどであってもよい。
【０１１５】
また、前記第１１の実施形態において、容器本体１２中の水や湯４０を排液バッグ１５２に排出する手段は、前記第１１の実施形態の如きドレイン口１３２やホース１３４を通じての態様に限定されない。同様に、前記第１２の実施形態において、注入バッグ１６２中の水や湯４０を容器本体１２中に注入する手段は、前記第１２の実施形態の如きドレイン口１６６やホース１３４、注入用孔１６４を通じての態様に限定されない。
【０１１６】
更に、前記第１１の実施形態に記載の排液バッグ１５２と前記第１２の実施形態に記載の注入バッグ１６２とは併せて採用してもよい。バッグを、前記第１１の実施形態に記載のホース１３４と、前記第１２の実施形態に記載のドレイン口１６６及び逆止弁１６８との両方を備えた構造としてもよい。これにより、必要に応じてバッグの用途を変更することが可能となる。注入バッグ１６２から容器本体１２へ至るホース１３４及び／又は容器本体１２から排液バッグ１５２へ至るホース１３４上に滅菌フィルター等を設けて濾過等をするようにしてもよい。これにより、手浴や足浴に際して清潔な水や湯を供給することができる。
【０１１７】
更にまた、前記第１３の実施形態において、フレームの構造は限定されるものではない。フレームは、例えば容器本体の下方部分を外側から覆うストレートな筒形状であってもよい。
【０１１８】
なお、前記図３では、主に被術者の手首より先の部分を洗浄する状態が示されているが、手浴や足浴が施される部位は、限定されるものではない。例えば、容器本体を長円形状等とすることで、被術者の手や足をより長い範囲に亘って挿入することができる。これにより、例えば手の先端から前腕部まで（足浴の場合は、足の先端から脛部まで）、或いは手の先端から二の腕まで（足浴の場合は、足の先端から大腿部まで）を洗浄したり湯に浸して温めることができる。
【符号の説明】
【０１１９】
１０，５０，６０，７０，９０，１００，１１０，１２０，１３０，１４０，１５０，１６０，１７０：部分浴用容器、１２，７２，１０２，１１２，１２２：容器本体、１４：周壁、１８：上側開口部（術者用挿入口）、２２，７８：貫通孔（被術者用挿入口）、２４：補強部、２６，８０，９２：外方筒部、２８：外方筒部における容器本体とは反対側の端部、３２：帯状体（止水手段）、４０：水や湯、４４：支持台、７６：貫通孔（術者用挿入口）、１３２：ドレイン口、１５２：排液バッグ、１６２：注入バッグ、１７４：フレーム、１８８：弾性膜（防水手段）、１９２：止水膜（防水手段）、１９４：被術者用挿入口
【図１】
2020130633.tif 000003
【図２】
2020130633.tif 000004
【図３】
2020130633.tif 000005
【図４】
2020130633.tif 000006
【図５】
2020130633.tif 000007
【図６】
2020130633.tif 000008
【図７】
2020130633.tif 000009
【図８】
2020130633.tif 000010
【図９】
2020130633.tif 000011
【図１０】
2020130633.tif 000012
【図１１】
2020130633.tif 000013
【図１２】
2020130633.tif 000014
【図１３】
2020130633.tif 000015
【図１４】
2020130633.tif 000016
【図１５】
2020130633.tif 000017
【図１６】
2020130633.tif 000018
【図１７】
2020130633.tif 000019
【図１８】
2020130633.tif 000020